(57)【特許請求の範囲】
【請求項１】
画像形成のために駆動する駆動手段と、
前記駆動手段の動作を制御する制御手段と、
交流電源から入力される交流電圧を平滑化する平滑手段を有し、前記交流電圧を変換し、変換した第一電圧を前記駆動手段に供給する第一のコンバータと、
前記交流電源から入力される交流電圧を変換し、変換した第二電圧を前記制御手段に供給する第二のコンバータと、
前記第一のコンバータからの前記第一電圧を前記駆動手段に供給するオン状態と、前記第一電圧の前記駆動手段への供給を遮断するオフ状態を切り替えるスイッチ手段と、
前記交流電源から入力される交流電圧のゼロクロスのタイミングを示す信号を検出するゼロクロス検出手段と、
画像形成に関するデータを記憶する不揮発メモリと、を備え、
前記制御手段は、前記スイッチ手段が前記オン状態であり前記第一のコンバータからの前記第一電圧を供給した状態において、前記ゼロクロス検出手段でゼロクロスのタイミングを示す信号が検出されない場合には、前記第一のコンバータの前記平滑手段に蓄えられた電荷の消費量を、前記スイッチ手段が前記オン状態における電荷の消費量よりも低減するために、前記スイッチ手段を前記オフ状態として前記第一のコンバータからの前記第一電圧の前記駆動手段への供給を遮断した状態で、前記不揮発メモリに前記画像形成に関するデータを記憶させることを特徴とする画像形成装置。
【請求項２】
請求項１に記載の画像形成装置において、
前記ゼロクロス検出手段でゼロクロスのタイミングを示す信号が検出されない場合とは、前記信号が所定時間以上検出されない場合であることを特徴とする画像形成装置。
【請求項３】
請求項１に記載の画像形成装置において、
前記ゼロクロス検出手段でゼロクロスのタイミングを示す信号が検出されない場合とは、前記ゼロクロス検出手段で前記信号が連続して所定回数検出されない場合であることを特徴とする画像形成装置。
【請求項４】
請求項１ないし３のいずれか１項に記載の画像形成装置において、
前記画像形成に関するデータは、前記スイッチ手段を前記オフ状態として前記第一のコンバータからの前記第一電圧の前記駆動手段への供給を遮断するまでの、前記画像形成装置の使用履歴データであることを特徴とする画像形成装置。
【請求項５】
請求項１ないし３のいずれか１項に記載の画像形成装置において、
前記画像形成に関するデータは、前記スイッチ手段を前記オフ状態としたことを示すデータであり、
前記制御手段は、前記交流電源からの交流電圧が入力された際に、前記不揮発性メモリに前記スイッチ手段を前記オフ状態としたことを示すデータが記憶されていれば、前記交流電源からの交流電圧の遮断が正常に行われていないことを示す情報を出力することを特徴とする画像形成装置。
【発明の詳細な説明】
【技術分野】
【０００１】
本発明は、複写機やプリンタ等の画像形成装置に関し、特にその動作中に、停電等により商用電源の入力が遮断された場合においても、必要なデータを確実に不揮発メモリへ記憶できる画像形成装置に関するものである。
【背景技術】
【０００２】
近年、画像形成装置の使用履歴データを、ＥＥＰＲＯＭ等の不揮発メモリに記憶しておき、そのデータを利用して最適な画像を得られるようにしたものが出現している。例えば、プリンタに関しては、累積プリント枚数を履歴データとしてＥＥＰＲＯＭ等の不揮発メモリに記憶しておき、このデータに応じて定着装置や搬送ベルトやトナーカートリッジ等、消耗品の交換をユーザに促すものがある。また、データに応じて画像形成プロセスの制御方法を変更して、画像形成プロセス部品の経時劣化に応じて、適正な画像を得られるようにするプリンタ等もある。
【０００３】
前述したように、画像形成装置はデータを信頼して最適な制御を行うため、当然のことながらそのデータに破壊などの問題があってはならず、正しいデータが確実に不揮発メモリに記憶されるようにしておかなければならない。不揮発メモリへのデータ書き込みは電気的手段によって行われるため、データの書き込みが行われている最中に、停電が発生したり、ユーザが電源プラグを抜いてしまったりして商用電源の供給が断たれると、不揮発メモリへのデータの書き込みが完了しなかったり、不揮発メモリへ異常なデータが書き込まれたりすることがあった。この対策として、商用電源が供給されている場合には不揮発メモリへデータの書き込みを許可し、商用電源の供給が遮断されている場合にはデータの書き込みを禁止することで、停電時であっても不揮発メモリに異常なデータが書き込まれないようにする提案がなされている（特許文献１）。
【特許文献１】特開平９−２２２２３号公報
【発明の開示】
【発明が解決しようとする課題】
【０００４】
しかしながら、前述した特許文献１に記載のものでは、画像形成装置への商用電源の供給が遮断された場合に、履歴データの書き込みを禁止してしまうため、それまでの履歴データを不揮発メモリに書き込むことができないという問題がある。ここで、不揮発メモリには通常書き込み回数に制限があるため、揮発メモリであるＲＡＭにデータを一時的に蓄積しておき、所定のタイミングでそのデータを不揮発メモリに書き込むことが一般的である。したがって、特許文献１に記載のものでは、商用電源遮断時に、その蓄積データを記憶せずに全て捨ててしまうこととなるおそれがある。
【０００５】
本発明は、このような状況のもとでなされたもので、画像形成装置に供給されている商用電源が遮断された場合においても、必要なデータを不揮発メモリに書き込むことのできる画像形成装置を提供することを課題とするものである。
【課題を解決するための手段】
【０００６】
前記課題を解決するため、本発明では、画像形成装置を次の（１）のとおりに構成する。
【０００７】
（１）画像形成のために駆動する駆動手段と、前記駆動手段の動作を制御する制御手段と、交流電源から入力される交流電圧を平滑化する平滑手段を有し、前記交流電圧を変換し、変換した第一電圧を前記駆動手段に供給する第一のコンバータと、前記交流電源から入力される交流電圧を変換し、変換した第二電圧を前記制御手段に供給する第二のコンバータと、前記第一のコンバータからの前記第一電圧を前記駆動手段に供給するオン状態と、前記第一電圧の前記駆動手段への供給を遮断するオフ状態を切り替えるスイッチ手段と、前記交流電源から入力される交流電圧のゼロクロスのタイミングを示す信号を検出するゼロクロス検出手段と、画像形成に関するデータを記憶する不揮発メモリと、を備え、前記制御手段は、前記スイッチ手段が前記オン状態であり前記第一のコンバータからの前記第一電圧を供給した状態において、前記ゼロクロス検出手段でゼロクロスのタイミングを示す信号が検出されない場合には、前記第一のコンバータの前記平滑手段に蓄えられた電荷の消費量を、前記スイッチ手段が前記オン状態における電荷の消費量よりも低減するために、前記スイッチ手段を前記オフ状態として前記第一のコンバータからの前記第一電圧の前記駆動手段への供給を遮断した状態で、前記不揮発メモリに前記画像形成に関するデータを記憶させることを特徴とする画像形成装置。
【発明の効果】
【０００８】
本発明によれば、画像形成装置に供給されている商用電源が遮断された場合においても、必要なデータを不揮発メモリに書き込むことができる。
【発明を実施するための最良の形態】
【０００９】
本発明を実施するための最良の形態を、実施例により詳しく説明する。
【実施例１】
【００１０】
実施例１である電子写真方式の“画像形成装置”（レーザビームプリンタ）について説明する。本実施例について図１〜図８を用いて説明を行う。
【００１１】
まず最初に図７を用いて、本実施例の画像形成装置Ａの動作原理について簡単に説明を行う。
図７は本画像形成装置Ａにおける断面図を表す図である。画像形成装置Ａは、スキャナユニット３０から画像情報に基づいたレーザ光を、ドラム形状の電子写真感光体である感光体ドラム３１ヘ照射して該感光体ドラム３１に潜像を形成し、この潜像を現像剤（以下「トナー」という）で現像してトナー像を形成する。そして前記トナー像の形成と同期して、記録媒体である記録材Ｐを収容した普通紙用カセット３２からピックアップローラ３３およびこれに圧接する圧接部材３４で一枚ずつ分離給送し、搬送ローラ３５、レジストローラ３６等からなる搬送手段で搬送する。そして、プロセスカートリッジＢとしてカートリッジ化された前記電子写真感光体である感光体ドラム３１に形成したトナー像を、転写手段としての転写ローラ３７に電圧印加することによって記録材Ｐに転写する。そして、その記録材Ｐを転写紙搬送ベルト３８によって定着器３９へと搬送する。この定着器３９は加圧ローラ４０と、ヒータを内蔵すると共に支持体によって回転可能に支持された筒状シートで構成した定着ローラ４１からなり、通過する記録材Ｐに熱および圧力を印加して転写トナー像を定着する。そしてこの記録材Ｐを排出ローラ４２，４３で搬送し、反転搬送経路を通して排出部４４へ排出する。なお、この画像形成装置Ａは、手差しトレイ４５および手差し給紙用ピックアップローラ４６によって手差し給送も可能となっている。
【００１２】
次に、本実施例における電源装置５０の動作原理について、図５を用いて簡単に説明する。図５はスイッチング方式の電源装置の構成を示す図である。電源装置５０には入力端子１０が設けられており、入力端子１０を介して電源装置５０に交流電源Ｃ（商用電源）が供給される構成となっている。電源装置５０に供給された交流電源Ｃは、電流ヒューズ１２、入力フィルタ回路１３の順番で経由して整流回路１４まで到達すると、交流電源Ｃの正弦波形が整流され、電圧波形はマイナス側の波形がプラス側に折り返された脈流波形に整形される。そして、その脈流波形は平滑回路１６で平滑され、脈流波形のピーク値とほぼ等しい直流電源に変換される。平滑回路１６で変換された直流電源は、プラス端子より変圧器１７に入力され、さらにトランジスタ１８を介してマイナス端子へと帰還する。トランジスタ１８は電源制御回路２２によって、ＯＮ／ＯＦＦのタイミングが制御されており、また、電源制御回路２２の駆動用電源は変圧器１７で生成されている。変圧器１７で変換された二次側出力には、二次側整流ダイオード１９と二次側平滑コンデンサ２０からなる二次側整流回路が存在し、所定の電圧に安定化された電源Ｖ１が出力端子２５の１ｐｉｎより電源装置５０外に出力される。また、二次側整流回路の出力は出力検出回路２３に入力されており、出力検出回路２３の出力結果が一次−二次を絶縁する素子（例えばフォトカプラ）で一次側の電源制御回路２２に入力される。電源制御回路２２は出力検出回路２３の出力結果によってトランジスタ１８のＯＮ／ＯＦＦのタイミングを決定する。
【００１３】
また、画像形成装置Ａに搭載される電源装置５０には、定着器３９に給電するタイミングを検出するため、交流電源Ｃのゼロクロスポイントを検出するためのゼロクロス検出回路１５が搭載されているのが一般的である。このゼロクロス信号は出力端子２６の４ｐｉｎから電源装置５０外に出力される。ＤＣ／ＤＣコンバータ２４は、電源Ｖ１から電源Ｖ２を生成するためのブロックであり、出力端子２６の２ｐｉｎより電源装置５０外に出力される。また、ＦＥＴで構成される負荷スイッチ２１（第一の電源の電力供給の可否を切り替えるスイッチ手段）は、電源Ｖ１の電源装置５０外への出力をＯＮ／ＯＦＦするものであり、出力端子２６の１ｐｉｎより電源装置５０外部より制御される。
【００１４】
次に、本実施例の具体的な動作について、図１のフローチャートを用いて詳細な説明を以下で行う。図１の処理はＣＰＵ５２により行われる。
画像形成装置Ａの電源スイッチが投入されると、電源装置５０に交流電源Ｃが供給され、電源装置５０で電源Ｖ１と電源Ｖ２とが生成される。ここで、電源Ｖ１は駆動系負荷の電源（例えばＤＣ２４Ｖ、第一の電源）であり、電源Ｖ２は信号系負荷の電源（例えばＤＣ３．３Ｖ、第二の電源）である。初期状態では、負荷スイッチ２１はオフ状態となっているため、コントローラ５１（図６参照）には出力端子２６の２ｐｉｎから電源Ｖ２が供給される。
電源Ｖ２がＣＰＵ５２に供給されるとＣＰＵ５２は起動し、センサ５５の状態を検出して、装置内に残留紙がないか、あるいは装置のドアがきちんと閉じているか等を確認する。また、コントローラ５１内の不揮発メモリ５３（所要のデータを保存するための不揮発メモリ）にアクセスして、不揮発メモリ５３内の情報を読み取って製品の状態（現在までのプリント枚数等）を確認する。画像形成装置Ａが前述の初期シーケンスを行って、特に装置に異常が無ければプリントコマンドを待ち受けるスタンバイ状態に移行する（ステップ１０１参照、以下Ｓ１０１のように略記する）。
画像形成装置Ａがスタンバイ状態において、ユーザより画像形成装置Ａにプリントの要求がなされた場合、コントローラ５１内のＣＰＵ５２は出力端子２６の１ｐｉｎをローレベルにして、電源装置５０の負荷スイッチ２１をオフ状態からオン状態に移行させる。負荷スイッチ２１がオン状態となると、電源装置５０の出力端子２５の１ｐｉｎからコントローラ５１へ電源Ｖ１が供給される。これにより、コントローラ５１からモータ５４やスキャナユニット３０に電源Ｖ１を供給できる体制が整って、画像形成装置Ａはプリント動作を開始する（Ｓ１０２）。
画像形成装置Ａのプリント動作中、ＣＰＵ５２は電源装置５０から出力端子２６の４ｐｉｎを介して送られてくるゼロクロス信号を監視する（Ｓ１０３）。
【００１５】
ここで、図２および図３を用いてゼロクロス信号について詳しく説明する。図２はゼロクロス検出回路１５を示す図である。交流電源Ｃが回路の入力に与えられ、回路の出力がコントローラ５１のＣＰＵ５２へと接続されている。回路の入力部に交流電源Ｃが入力されている場合において、ａ点がｂ点より電位が高いときにはホトカプラＰＣ１０１のフォトダイオードが導通して、二次側のフォトトランジスタがオン状態となる。また、逆にａ点がｂ点よりも電位が低いときにはホトカプラＰＣ１０２のフォトダイオードが導通して、二次側のフォトトランジスタがオン状態となる。ａ点、ｂ点が略同電位のときには、ホトカプラＰＣ１０１およびＰＣ１０２どちらのフォトダイオードも非導通状態となって、二次側のフォトトランジスタも各々オフ状態となる。ここで、ホトカプラＰＣ１０１およびＰＣ１０２のどちらかのフォトトランジスタがオン状態となると、トランジスタＴｒ１０１はオフ状態となり、ＣＰＵ５２にはハイ状態が出力される。また、ホトカプラＰＣ１０１，ＰＣ１０２のフォトトランジスタが両方共にオフ状態となると、トランジスタＴｒ１０１はオン状態となり、ＣＰＵ５２にはロー状態が出力される。
【００１６】
前述した内容をグラフで表したものが図３である。交流電源がゼロクロス検出回路１５に入力されると、Ｔ０、Ｔ１、Ｔ２、Ｔ３、のタイミングで、ローレベルの信号がＣＰＵ５２に入力される。ローレベルの期間Δｔ１は約０．５ｍｓ程度の時間である。すなわち、画像形成装置Ａのプリント動作中、交流電源Ｃが供給され続けていれば、図３に示されるゼロクロス信号がＣＰＵ５２に入力されていることになる。
画像形成装置Ａがプリント動作を行っている間、ＣＰＵ５２は所定のタイミング（交流電源Ｃが５０Ｈｚの場合には１０ｍｓ毎、６０Ｈｚの場合には約８．３３ｍｓ毎。なお、本実施例では交流電源Ｃの発振周波数は５０Ｈｚとする。）でゼロクロス信号が検出されるか監視を行う。ゼロクロス信号の検出手法としては例えば立下りエッジを確認すればよく、１０ｍｓ毎にハイレベルからローレベルに移行する立下りエッジを確認できていれば、ＣＰＵ５２はゼロクロス信号が正常に検出できていると判断する（Ｓ１０４）。
画像形成装置Ａがプリント動作をしている期間、ＣＰＵ５２でゼロクロス信号が所定のタイミングで検出され続け、そのままプリント動作を完了した場合には、画像形成装置Ａは再びスタンバイ状態に移行する（Ｓ１０１）。
【００１７】
一方、画像形成装置Ａのプリント動作中、ＣＰＵ５２が所定のタイミングでゼロクロス信号が入力されないことを検出した場合には、ＣＰＵ５２は出力端子２６の１ｐｉｎをハイインピーダンス状態にし、負荷スイッチ２１をオン状態からオフ状態に移行させる（Ｓ１０５）。
【００１８】
ここで、所定のタイミングでＣＰＵ５２にゼロクロス信号が入力されない場合について、図４を用いて説明する。図４（ａ）では、画像形成装置Ａの電源装置５０にＴ１からＴ３の期間中（２０ｍｓ）、交流電源Ｃが供給されていない場合の波形を示している。このような交流電源Ｃが供給されたとき、ＣＰＵ５２には図４（ｂ）に示すような信号が入力される。すなわち、交流電源Ｃが供給されなかったＴ１からＴ３の期間中では、ＣＰＵ５２はＴ２およびＴ３のタイミングでゼロクロス信号である立下りエッジを検出できないことになる。
通常、交流電源Ｃが１サイクル（２０ｍｓ）以下の瞬時停電であれば、電源装置５０は動作を停止することなく、電源Ｖ１と電源Ｖ２とを生成し続けられるように設計されている。
【００１９】
したがって、本実施例では、２０ｍｓ以下の瞬時停電は無視するよう、ＣＰＵ５２がゼロクロス信号を連続して２回検出されなかった場合（Ｔ２およびＴ３のタイミング）に、画像形成装置Ａへの交流電源Ｃの供給が遮断されたとＣＰＵ５２は判断することとする。また、本実施例では、ＣＰＵ５２でゼロクロス信号を連続して２回検出されなかった場合（ゼロクロスが連続して所定回数検出されない場合）に、交流電源Ｃの供給が遮断されたと判断したもののこれに限定するものではない。他の手法で検出することも可能である。例えば、ＣＰＵ５２がゼロクロス信号を検出後、所定時間以上（例えば２１ｍｓ以上）経過してもゼロクロス信号を検出できない場合（ゼロクロスが所定時間以上検出されない場合）に、交流電源Ｃの供給が遮断されたと判断することも可能である（ＣＰＵ５２では２１ｍｓの間、ローレベルを検出し続けることになる。）。
【００２０】
Ｓ１０５において、ＣＰＵ５２が負荷スイッチ２１をオフ状態とすると、コントローラ５１に供給されていた電源Ｖ１が遮断され、モータ５４やスキャナユニット３０等の駆動系負荷への電力供給が停止される。駆動系負荷への電力供給が停止すると、電源装置５０で供給していた負荷が大幅に削減され、平滑回路１６や二次側平滑コンデンサ２０に蓄えられた電荷の消費が大きく減少することになる。すなわち、負荷スイッチ２１がオン状態よりもオフ状態の方が、コントローラ５１へ供給されている電源Ｖ２を長時間維持することができるようになる。
【００２１】
交流電源Ｃの供給遮断後、電源装置５０からコントローラ５１へ電源Ｖ２の供給を維持できる時間を表したグラフが図８である。交流電源Ｃの供給が遮断され、ＣＰＵ５２が負荷スイッチ２１をオン状態のまま維持した場合には、図８（ａ）の状態１（破線）で示すようなカーブで電源Ｖ２の供給がストップする。この場合には、４０ｍｓで電源Ｖ２の供給がストップすることになる。これに対し、交流電源Ｃの供給が遮断されてから２０ｍｓ後に、ＣＰＵ５２が負荷スイッチ２１をオン状態からオフ状態に移行した場合には、図８（ａ）の状態２（実線）で示すようなカーブで電源Ｖ２の供給がストップする。この場合には、１２００ｍｓで電源Ｖ２の供給がストップすることになる。
ＣＰＵ５２が負荷スイッチ２１をオフ状態とすることで、ＣＰＵ５２はその後電源Ｖ２の供給を１２００ｍｓもの間、受けることが可能となる。その間に、ＲＡＭ等に蓄えられた履歴データを不揮発メモリ５３に記憶させる（Ｓ１０６）。
【００２２】
以上説明したように、本実施例によれば、画像形成装置本体に供給している交流電源（商用電源）が何らかの原因によって強制的にオフ状態となった場合においても、確実に不揮発メモリへ本体使用履歴データを記憶させることが可能となる。
なお、本実施例では、画像形成装置のプリント状態時において、装置本体に供給している商用電源が供給停止された場合の処理手法について説明したものの、本発明はこれに限定するものではない。画像形成装置がプリント状態以外の状態、例えばイニシャルシーケンス、スタンバイ等の状態にあったとしても、プリント状態と同様の処理を行うことができ、同様の効果を得ることが可能である。例えば、画像形成装置がスタンバイ状態において交流電源が遮断された場合の、コントローラへの信号形電源供給時間は図８（ｂ）のように示される。スタンバイ状態であっても、モータのホールド電流、ファン駆動等で駆動系負荷がかかっているため、負荷スイッチ２１をオフ状態にすることで、信号系電源の供給時間を延長される。負荷スイッチ２１がオン状態のまま維持された場合には３００ｍｓ、負荷スイッチ２１をオン状態からオフ状態に移行させた場合には２４００ｍｓの期間、信号系負荷の電源Ｖ２を供給し続けることができる。これにより、不揮発メモリへの本体使用履歴を書き込むための時間を十分に確保することが可能となる。
【００２３】
また、本実施例では、駆動系負荷への電力供給は、コントローラを介して行われているが、これに限らず、コントローラを介することなく直接駆動系負荷へ電力供給がされる構成であってもよい。その場合は、各負荷への電力供給を、コントローラで制御されるスイッチなどでオン、オフする構成となる。
【実施例２】
【００２４】
実施例２である“画像形成装置”について説明する。本実施例の全体構成、ブロック構成、電源装置の構成、動作原理は実施例１と同様なので、その説明を援用する。
本実施例の画像形成装置を、図５、図６、図９を用いて説明を行う。
【００２５】
図９は本実施例における動作を示したフローチャートである。図９の処理はＣＰＵ５２により行われる。
ここで、Ｓ２０１〜Ｓ２０６はそれぞれ、実施例１のＳ１０１〜Ｓ１０６と同様であるため説明を省略し、Ｓ２０７以降のステップの説明を行う。
ＣＰＵ５２が不揮発メモリ５３に履歴データの保存を完了すると、続いて、ＣＰＵ５２は交流電源Ｃが強制的にオフされたことを示す強制オフ情報を不揮発メモリ５３に記憶させる（Ｓ２０７）。強制オフ情報には、強制的に交流電源Ｃがオフ状態とされたことだけではなく、プリント動作が正常に完了していないことや、前回プリント時の設定条件等も合わせて記憶させておく。そして、画像形成装置Ａは交流電源Ｃの供給が断たれているため、そのまま画像形成装置Ａ内の電源装置５０が動作を停止して画像形成装置Ａは動作を停止する（Ｓ２０８）。
【００２６】
その後、画像形成装置Ａに再び交流電源Ｃが供給されたとき、画像形成装置Ａは自動的に、あるいはユーザの手によって再起動されると（Ｓ２０９）、電源装置５０よりコントローラ５１に信号系の電源Ｖ２が供給される。電源Ｖ２が供給されるとＣＰＵ５２が起動し、ＣＰＵ５２は不揮発メモリ５３へアクセスし（Ｓ２１０）、強制オフ情報を取得する（Ｓ２１１）。
画像形成装置Ａが前回電源オフ時に通常に終了していれば、不揮発メモリ５３内に強制オフ情報は存在しておらず、その場合における初期シーケンスは実施例１と同様になる。すなわち、電源Ｖ２がＣＰＵ５２に供給されるとＣＰＵ５２は起動し、センサ５５の状態を検出して、装置内に残留紙がないか、あるいは装置のドアがきちんと閉じているか等を確認する。そして、不揮発メモリ５３内の履歴データを読み取って製品の状態（現在までのプリント枚数等）を確認し、特に装置に異常が無ければプリントコマンドを待ち受けるスタンバイ状態に移行する。
しかしながら、Ｓ２１１で強制オフ情報を入手した場合には、前回電源オフが正常に行われていないことになるため、この旨をオペレーションパネル等（不図示）でユーザに報知を行う（Ｓ２１２）。
【００２７】
ユーザが適切な処理を行った場合、例えば、前回プリント最中で強制終了されたプリント要求を再度行った場合や、前回プリントの設定条件を呼び出したりした場合に（Ｓ２１３）、画像形成装置Ａはユーザが強制オフ情報を取得したと判断する。そして、不揮発メモリ５３の強制オフ情報を消去して処理を完了する（Ｓ２１４）。
【００２８】
以上説明したように、本実施例によれば、画像形成装置本体に供給している交流電源（商用電源）が何らかの原因によって強制的にオフ状態となった場合においても、確実に不揮発メモリへ本体使用履歴データを記憶させることが可能となる。さらに、強制的にオフ状態となったことを記憶しておくことで、本体再起動時に適切な処理を行って復帰することが可能となる。
【図面の簡単な説明】
【００２９】
【図１】実施例１の画像形成装置における処理を示すフローチャート
【図２】実施例１における交流電源のゼロクロスタイミングを検出する回路の回路図
【図３】交流電源波形とそれに同期するゼロクロス信号波形を表す図
【図４】交流電源の供給が遮断された場合のゼロクロス信号波形を表す図
【図５】実施例１における電源装置の構成を示す図
【図６】実施例１のブロック図
【図７】実施例１の概略構成を示す断面図
【図８】実施例１における交流電源遮断後のコントローラへの信号系電源供給時間を示す図
【図９】実施例２の画像形成装置における処理を示すフローチャート
【符号の説明】
【００３０】
Ａ      画像形成装置
Ｃ      交流電源（商用電源）
１５      ゼロクロス検出回路
２１      負荷スイッチ
５０      電源装置
５１      コントローラ
５２      ＣＰＵ
５３      不揮発メモリ
【図１】
0005207726.tif 000002
【図２】
0005207726.tif 000003
【図３】
0005207726.tif 000004
【図４】
0005207726.tif 000005
【図５】
0005207726.tif 000006
【図６】
0005207726.tif 000007
【図７】
0005207726.tif 000008
【図８】
0005207726.tif 000009
【図９】
0005207726.tif 000010